(57)【要約】    【課題】  ギア回転速度が高い場合でも出力電圧上昇を抑制でき、かつ回転速度が低い場合でも十分なレベルの出力電圧が得られる、すなわちギア回転速度の高低に関わらず適切な出力電圧を得ることのできる無電源センサを提供すること。    【解決手段】  無電源センサ１は、負荷インピーダンスとして出力端子３Ａ、３Ｂ側に、コンデンサＣと抵抗Ｒの二種類の素子が直列に接続されている構成である。すなわち、コンデンサＣと抵抗Ｒの両端の電圧（コンデンサＣに係る電圧ＶＣ＋抵抗Ｒに係る電圧ＶＲ）を、出力電圧Ｖとして用いるという構成である。【選択図】  図１
2010101718.tif 000002
【特許請求の範囲】
【請求項１】
負荷インピーダンスとして、出力端子側にコンデンサと抵抗の二種類の素子を直列に接続した、無電源センサ。
【発明の詳細な説明】
【技術分野】
【０００１】
本発明は無電源センサに係り、特に、ギア回転速度の高低に関わらず適切な出力電圧を得るための、無電源センサの改良技術に関する。
【背景技術】
【０００２】
無電源センサは、ギアの歯先が検出面を通過した際に内蔵コイルから生ずる誘起電圧の周波数に基づいてギアの回転速度を検出することによって、速度検出に利用するものである。ここで誘起電圧出力を取り出すためには、通常、出力側に抵抗器を設ける。そして、その両端の電圧を出力として利用する。
【０００３】
図２は、従来の無電源センサの構造を示す説明図であり、ギアの歯がセンサ部検出面に接近した状態を示す。また、
図３は、従来の無電源センサの構造を示す説明図であり、ギアの歯がセンサ部検出面から離れた状態を示す。
図４は、従来の無電源センサの回路図である。以下これらの図により、従来の無電源センサについてさらに説明する。
【０００４】
図２に示すように、ギアＧの歯がセンサ部２２検出面に接近した状態では、センサ２１からギアＧへ流れる磁束は大きい状態である。また図３に示すように、ギアＧの歯がセンサ部２２検出面から離れた状態では、センサ２１からギアＧへ流れる磁束は小さい状態である。無電原センサは、磁束の状態が変化する瞬間、すなわち磁束の大小が変化する瞬間に、内蔵コイルに生ずる誘起電圧を利用するものであり、その電圧は下式（１）によって表される。
【０００５】
【数１】
2010101718.tif 000003
【０００６】
無電源センサ２１は原理上、ギアＧの回転が低速の時の出力電圧Ｖ＝ＶＲが低い。そのため、抵抗器２Ｒの抵抗値を大きくとることで、必要なレベルの電圧Ｖを得る方法がとられている。なお無電源センサに関しては、本願出願人による後掲特許文献１開示のものを含め、従来複数の技術的提案がなされている。
【特許文献１】特開平１１−８３５３９号公報「無電源センサ」
【発明の開示】
【発明が解決しようとする課題】
【０００７】
さて上述のように従来の無電源センサ２１では、ギアＧの回転が低速の場合に出力電圧Ｖ＝ＶＲが低いため、抵抗器２Ｒの抵抗値を大きくとることで、必要なレベルの電圧Ｖを得る方法がとられている。しかしかかる構成では、ギアＧの回転速度が高速の場合は逆に電圧が高くなってしまい、センサの後に接続した回路に対して影響が生じる危険性がある。つまり、単に抵抗値を大きくするだけでは、出力電圧レベルの良好な維持には限界がある。
【０００８】
本発明が解決しようとする課題は、上記従来技術の問題点を除き、ギア回転速度が高い場合でも出力電圧上昇を抑制でき、かつ回転速度が低い場合でも十分なレベルの出力電圧が得られる、すなわちギア回転速度の高低に関わらず適切な出力電圧を得ることのできる、無電源センサを提供することである。
【課題を解決するための手段】
【０００９】
本願発明者は上記課題について検討した結果、負荷インピーダンスとして抵抗の他にコンデンサを用いることにより課題を解決できることを見出し、本発明に至った。すなわち、上記課題を解決するための手段として本願で特許請求される発明、もしくは少なくとも開示される発明は、以下の通りである。
（１）  負荷インピーダンスとして、出力端子側にコンデンサと抵抗の二種類の素子を直列に接続した、無電源センサ。
【発明の効果】
【００１０】
本発明の無電源センサは上述のように構成されるため、これによれば、ギア回転速度が高い場合でも出力電圧上昇を抑制でき、かつ回転速度が低い場合でも十分なレベルの出力電圧を得ることができる。つまり、ギア回転速度の高低に関わらず適切な出力電圧を得ることができる。
また従来、無電源センサの小型化は、出力電圧低下により困難であったところ、本発明の無電源センサによればそれも可能となる。したがって、無電源センサの用途を拡大することができる。
【発明を実施するための最良の形態】
【００１１】
以下、図面により本発明をさらに詳細に説明する。
図１は、本発明の無電源センサの構成を示す回路図である。図示するように本発明無電源センサ１は、負荷インピーダンスとして出力端子３Ａ、３Ｂ側に、コンデンサＣと抵抗Ｒの二種類の素子が直列に接続されている構成である。すなわち、コンデンサＣと抵抗Ｒの両端の電圧（コンデンサＣに係る電圧ＶＣ＋抵抗Ｒに係る電圧ＶＲ）を、出力電圧Ｖとして用いるという構成である。
【００１２】
つまり本発明の無電源センサ１は、ＲＣ回路を用いるものである。コンデンサＣと抵抗Ｒの接続数は特に限定されるものではないが、図示するように１個ずつを直列接続することで、本発明の目的は十分に達成することができる。
【００１３】
本発明の無電源センサ１における作用を説明する。無電源センサ１からの出力は交流であり、その周波数はギアの回転速度に比例する。またコンデンサＣのインピーダンスは周波数に依存し、これに反比例する。一方、抵抗Ｒのインピーダンスは周波数によっては変化しない。したがってギア回転高速時には、コンデンサＣはインピーダンスが減少して電圧ＶＣが小さくなるため、出力電圧は、抵抗Ｒに係る電圧ＶＲが支配的となり、出力電圧Ｖの増大は抑制することができる。
【００１４】
またギア回転低速時には、コンデンサＣはインピーダンスが増大して電圧ＶＣが大きくなり、抵抗Ｒに係る電圧ＶＲの低下を補って出力電圧Ｖの低下を防止することができる。このように本発明無電源センサでは、ギア回転速度の高低に関わらず、高低に応じてそれぞれ得られる作用によって、高すぎず低すぎず、理想的な出力電圧を得ることができる。
【産業上の利用可能性】
【００１５】
以上述べたように本発明の無電源センサによれば、低速回転時には出力電圧を高め、高速回転時には出力電圧を抑制でき、便利である。しかも、従来無電源センサの小型化は、出力電圧低下を招くために困難であったところ、本発明によればそれも可能となる。したがって、産業上利用性が高い発明である。
【図面の簡単な説明】
【００１６】
【図１】本発明の無電源センサの構成を示す回路図である。
【図２】従来の無電源センサの構造を示す説明図であり、ギアの歯がセンサ部検出面に接近した状態を示す。
【図３】従来の無電源センサの構造を示す説明図であり、ギアの歯がセンサ部検出面から離れた状態を示す。
【図４】従来の無電源センサの回路図である。
【符号の説明】
【００１７】
１…無電源センサ
２…センサ部
３Ａ、３Ｂ…出力端子
Ｃ…コンデンサ
Ｒ…抵抗
Ｇ…ギア
Ｖ…出力電圧
ＶＣ…コンデンサに係る電圧
ＶＲ…抵抗に係る電圧
２１…無電源センサ（従来の。以下同様）
２２…センサ部、  ２３Ａ、２３Ｂ…出力端子、  ２Ｒ…抵抗
【図１】
2010101718.tif 000004
【図２】
2010101718.tif 000005
【図３】
2010101718.tif 000006
【図４】
2010101718.tif 000007